(57)【要約】【課題】様々な制約から耐震補強を施しにくい既存も含めた木造住宅において、現実的に対処し易い耐震補強工法を提供する。【解決手段】木造住宅を外淵で支える複数の木柱１に添って金属管支柱２をそれぞれの木柱１の外側に垂立させ、該金属管支柱２の少なくとも上下２箇所において木柱１に向けその外壁及び内壁を貫く貫通孔３Ａ、３Ｂを穿ち、木柱１より遠い外壁貫通孔３Ａより木柱１に近い内壁貫通孔３Ｂに向けてコーチボルト類４を差し込むことによって内壁貫通孔３Ｂと木柱１とを固定し、外壁貫通孔３Ａにはこれに内接する補強管体５を取付け、かつそれぞれの金属管支柱２間を補強梁６で水平に連結する。また軒樋７から縦樋８を分岐して該補強管体５に連結もしくは一体化する。また金属管支柱２の下端を予めコンクリート成形された基礎ブロック９の上面にベース板類１０を介し結合させる。【選択図】図１
2004270419.tif 000002
【特許請求の範囲】
【請求項１】
木造住宅を外淵で支える複数の木柱１に添って金属管支柱２をそれぞれの木柱１の外側に垂立させ、該金属管支柱２の少なくとも上下２箇所において木柱１に向けその外壁及び内壁を貫く貫通孔３Ａ、３Ｂを穿ち、木柱１より遠い外壁貫通孔３Ａより木柱１に近い内壁貫通孔３Ｂに向けてコーチボルト類４を差し込むことによって内壁貫通孔３Ｂと木柱１とを固定し、外壁貫通孔３Ａにはこれに内接もしくは一体化する補強管体５を取付け、かつそれぞれの金属管支柱２間を補強梁６で水平に連結することを特徴とする木造住宅用耐震補強工法。
【請求項２】
軒樋７から縦樋８を分岐して該補強管体５に連結もしくは一体化する請求項１記載の木造住宅用耐震補強工法。
【請求項３】
金属管支柱２の下端を予めコンクリート成形された基礎ブロック９の上面にベース板類１０を介し結合させる請求項１記載の木造住宅用耐震補強工法。
【発明の詳細な説明】
【０００１】
【発明の属する技術分野】
この発明は、木造住宅において耐震性をもたせるための補強工法に関する。
【０００２】
【従来の技術】
大地震による建造物の倒壊を防ぐために、従来より様々な耐震工法や免震工法が提案されている。それらのなかで、ビルなどのコンクリート系大形建造物においては既に多数の新規な耐震ないし免震手段が具体化しつつあるものの、一般的な木造住宅においては、常識的な補強策以外にこれといった目新しい耐震手段が具体的に見出されていないのが現状である。
【０００３】
あえて挙げれば、木造住宅の外壁に添って特殊な杭状物を垂立させる工法が知られているが、これは現実にそぐわないことなどから、今日においてもほとんど実施・普及には至っていない。
【０００４】
【発明が解決しようとする課題】
このような現状から、地震に備えて既存の建物にも対応できるような、木造住宅における現実的な耐震・補強工法を提供することを、本発明の課題とする。
【０００５】
【課題を解決するための手段】
木造住宅を外淵で支える複数の木柱１に添って金属管支柱２をそれぞれの木柱１の外側に垂立させ、該金属管支柱２の少なくとも上下２箇所において木柱１に向けその外壁及び内壁を貫く貫通孔３Ａ、３Ｂを穿ち、木柱１より遠い外壁貫通孔３Ａより木柱１に近い内壁貫通孔３Ｂに向けてコーチボルト類４を差し込むことによって内壁貫通孔３Ｂと木柱１とを固定し、外壁貫通孔３Ａにはこれに内接もしくは一体化する補強管体５を取付け、かつそれぞれの金属管支柱２間を補強梁６で水平に連結するものとする。
【０００６】
その際、軒樋７から縦樋８を分岐して該補強管体５に連結もしくは一体化することが特に好ましい。
【０００７】
また金属管支柱２の下端を予めコンクリート成形された基礎ブロック９の上面にベース板類１０を介し結合させることが特に好ましい。
【０００８】
ここで言う金属管支柱１とは、補強用として充分な大きさと強度を持つ建築用部材となるものであって、例えば通常に用いられている木柱１と略同大の金属製角パイプ等が該当する。
【０００９】
これに設ける貫通孔３Ａ、３Ｂは、コーチボルト類４を通すに足る寸法であるが、両者は必ずしも同じ寸法であることを要さず、後者の方が適当に大きくても差し支えない。
【００１０】
補強管体５と縦樋８とは、必ずしも別個の部材であることを要さず、両者は直角に屈曲して一体化された管体であっても良い。その場合も、縦樋８に相当する箇所は横方向に伸びている軒樋７の下面に略直角に接続することになる。
【００１１】
なおこのような金属管支柱１は、当該木造住宅において一箇所のみに設けるのでなく、木柱１の数に応じて何箇所も設けるわけであるが、それらの各金属管支柱２間を連結する補強梁６は、例えばＨ鋼のような強固にボルト締め或いは溶接できる鋼材であることを原則とする。
【００１２】
なお、上記における木柱１は、実際には外部に対し露出しているのでなく外装壁材１２で覆われているのが通例であるが、構成上はこれを一応無視して扱うものとする。
【００１３】
【作用】
本発明はこのような構成であるから、木造住宅を補強し耐震構造にする本体である金属管支柱２は、当該木造住宅を支える木柱１とコーチボルト類４で強固に連結・一体化される。また各金属管支柱２も補強梁６で互いに連結・一体化されるとともに、その基礎は任意にコンクリート等で強固に固定することができる。その際、基礎を予めプレキャストコンクリートでブロック状に成型しておけば、既設の建物等において現場の様々な制約があっても、十分強固な基礎を構築することができる。
【００１４】
更に、内壁貫通孔３Ｂのみならず外壁貫通孔３Ａがあることは、実際にコーチボルト類４を木柱１に差し込む際にその施工を可能ならしめるものであり、またその孔３Ａは補強管体５が挿入もしくは一体化されることによって補強されるとともに、その補強管体５は縦樋８を介して軒樋７に連結されるので、雨水は軒樋７から金属管支柱２内に導入される。従って金属管支柱２の下方にも設けられる同様の外壁貫通孔３Ａに挿入された補強管体５を放水管１１に繋がるように形成すれば、雨水を水源として利用することも可能となる。
【００１５】
【発明の実施の形態】
木造住宅の約１３０ｍｍ角木柱１に接する約３０ｍｍ厚の外装壁材１２から約５０ｍｍの間隔を隔てて、２００ｍｍ角の亜鉛メッキ鋼製角パイプからなる金属管支柱２を垂立させる。その上端は軒樋７に接近する高さとし、上端より約１５０ｍｍ下方には直径約４０ｍｍの外壁貫通孔３Ａと直径約２０ｍｍの内壁貫通孔３Ｂが設けられており、またその下端より１５０ｍｍ上方にも同様に外壁貫通孔３Ａと内壁貫通孔３Ｂが設けられていて、いずれの外壁貫通孔３Ａにもこれに挿入又は一体化された約５０ｍｍ長の補強管体５が外方に向けて突出形成される。
【００１６】
上記の金属管支柱２を支える基礎部分は乾式工法によるものとし、予め成形された縦横２５０ｍｍ、高さ５００ｍｍのボルト１３付きコンクリートブロックを図２のように４個合わせて基礎ブロック９としてその上に縦横５００ｍｍの鉄製ベース板類１０を重ねナット締めし、その上面の内側寄りにおいて金属管支柱２の下端を溶接により固定する。
【００１７】
当該金属管支柱２における上方及び下方の外壁貫通孔３Ａよりコーチボルト類４を内壁貫通孔３Ｂに向けて差し込み、更に予め外装壁材１２と木柱１に穿った錐穴に接着剤と共にねじ込んで固定する。
【００１８】
更に、上方の補強管体５には直角に屈曲した縦樋８を挿入してその上端を軒樋７の下面に設けられた貫通孔に接続し、下方の補強管体５には同じく直角に屈曲した放水管１１を挿入して、任意に雨水を取水できるようにする。
【００１９】
同様の金属管支柱２を他の木柱１に対しても設立し、それらの上端部において１５０ｍｍ幅のＨ鋼からなる補強梁６をボルト締めして互いに連結する。なお本発明はここで述べた例に限定されるものでないことは言うまでもない。
【００２０】
【発明の効果】
このように本発明によれば、木造住宅において木柱に近接して違和感なく耐震補強ができ、その施工も容易かつ現実的であって、雨水の取水も同時にできるなどの多大な効果がある。
【図面の簡単な説明】
【図１】本発明の主要部を示す横断面図
【図２】本発明の基礎部分を示す見取図
【図３】本発明の連結部分を示す正面図
【符号の説明】
１……木柱                      ２……金属管支柱
３Ａ……外壁貫通孔              ３Ｂ……内壁貫通孔
４……コーチボルト              ５……補強管体
６……補強梁                    ７……軒樋
８……縦樋                      ９……基礎ブロック
１０……ベース板類              １１……放水管
１２……外装壁材                １３……ボルト
【図１】
2004270419.tif 000003
【図２】
2004270419.tif 000004
【図３】
2004270419.tif 000005